(57)【要約】  モジュール式の無線通信システムのためのモデム装置が提案される。モデム装置は、ＬＴＥまたはＵＭＴＳ等の無線通信規格に従って無線ネットワークアクセスを提供するように構成される。モデム装置は、ハードウェアサブシステム、階層化ソフトウェアサブシステムとともに、インタフェース・サブシステムを備える。【選択図】図４
2011527845.tif 000002
【特許請求の範囲】
【請求項１】
少なくとも１つの第１の無線通信規格に従って無線ネットワークアクセスを提供するように構成されたモデム装置（１００）であって、
前記少なくとも１つの第１の無線通信規格に従って構成され、ベースバンド処理要素（１０４、１０６）および無線周波数要素（１０２）を備えるハードウェアサブシステムと、
上位のソフトウェア層と下位のソフトウェア層とを含む階層化ソフトウェアサブシステムであって、
前記上位のソフトウェア層は、モデムサービスを提供するように構成されたデータアプリケーション（１１６Ａ）を有し、
前記下位のソフトウェア層は、
（ａ）前記少なくとも１つの第１の無線通信規格に従って前記データ・アプリケーションにネットワーク・アクセス・サービスを提供するように構成された第１の垂直ソフトウェアスタック（１０８）と、
（ｂ）ローカルデータ通信サービスを提供するように構成された第２の垂直ソフトウェアスタック（１１０）と
を有する、階層化ソフトウェアサブシステムと、
クライアント（１４０、１４０’、１４８、１６０）に前記モデムサービスを提供するように構成されたインタフェースサブシステム（１１８）と
を備え、前記インタフェースサブシステム（１１８）は、１つ以上の規格化された物理インタフェース（１１８Ａないし１１８Ｇ）を備えることを特徴とするモデム装置。
【請求項２】
前記モデム装置（１００）は、デバイス（１３０、１３０’）の外部のクライアント（１４０、１４０’）に前記インタフェースサブシステム（１１８）を介して前記モデムサービスを提供するように構成されることを特徴とする請求項１に記載のモデム装置。
【請求項３】
前記モデム装置（１００）は、デバイス（１３０、１３０’）の内部に設置されたクライアント（１４８、１６０）に前記インタフェースサブシステム（１１８）を介して前記モデムサービスを提供するように構成されることを特徴とする請求項１または２に記載のモデム装置。
【請求項４】
前記モデム装置（１００）は、前記モデムサービスを前記外部クライアント（１４０、１４０’）に提供するためにスタンドアロン装置として選択的に設置されることと、前記モデムサービスを前記内部クライアント（１４８、１６０）に提供するためにデバイス（１３０’）内で前記内部クライアント（１４８、１６０）と共同設置されることとの、少なくともいずれかのモジュール構成を有することを特徴とする請求項１ないし３のいずれか１項に記載のモデム装置。
【請求項５】
前記モデム装置（１００）はユーザインタフェースおよびマルチメディアの能力を持たないことを特徴とする請求項１ないし４のいずれか１項に記載のモデム装置。
【請求項６】
前記下位のソフトウェア層は、前記モデム装置（１００）に対してオペレーション・サービスを提供するように構成された第３の垂直ソフトウェアスタック（１１２）を更に備えることを特徴とする請求項１ないし５のいずれか１項に記載のモデム装置。
【請求項７】
前記第３の垂直ソフトウェアスタック（１１２）によって提供される前記オペレーション・サービスは、システム制御、無線制御、汎用集積回路カード（ＵＩＣＣ）アクセス、クロックサーバアクセス、電話帳サービス、プロキシ管理、要素管理、更新管理、および動作性能管理の内の少なくとも１つを備えることを特徴とする請求項６に記載のモデム装置。
【請求項８】
前記下位のソフトウェア層は、もっぱら、前記第１の垂直ソフトウェアスタック（１０８）、前記第２の垂直ソフトウェアスタック（１１０）、及び、前記第３の垂直ソフトウェアスタック（１１２）で構成されることを特徴とする請求項６または７に記載のモデム装置。
【請求項９】
前記第２の垂直ソフトウェアスタック（１１０）によって提供される前記データ通信サービスは、ＵＳＢインタフェースサービス、汎用入出力（ＧＰＩＯ）インタフェースサービス、汎用非同期送受信回路（ＵＡＲＴ）インタフェースサービス、赤外線通信（ＩｒＤＡ）（）インタフェースサービス、ディジタルＲＦインタフェースサービス、無線ローカルエリアネットワーク（ＷＬＡＮ）サービス、ＷｉＭＡＸサービス、ＡＴコマンド管理、およびインターネットプロトコルサービスの内の少なくとも１つを備えることを特徴とする請求項１ないし８のいずれか１項に記載のモデム装置。
【請求項１０】
前記１つ以上の規格化物理インタフェース（１１８Ａないし１１８Ｇ）は、ＵＳＢインタフェース、汎用入出力（ＧＰＩＯ）インタフェース、汎用非同期送受信回路（ＵＡＲＴ）インタフェースおよびディジタルＲＦインタフェースの内の少なくとも１つを含むことを特徴とする請求項１ないし９のいずれか１項に記載のモデム装置。
【請求項１１】
前記少なくとも１つの第１の無線通信規格は、ＬＴＥ（Ｌｏｎｇ  Ｔｅｒｍ  Ｅｖｏｌｕｔｉｏｎ）規格、および、高速パケットアクセス（ＨＳＰＡ）エボリューション規格を備えるグループから選定されることを特徴とする請求項１ないし１０のいずれか１項に記載のモデム装置。
【請求項１２】
前記モデム装置（１００）は回路基板として構成されることを特徴とする請求項１ないし１１のいずれか１項に記載のモデム装置。
【請求項１３】
請求項１ないし１２のいずれか１項に記載のモデム装置（１００）を備えることを特徴とするデバイス（１３０、１３０’）。
【請求項１４】
前記モデム装置（１００）は、前記デバイス（１３０、１３０’）の外部のクライアント（１４０、１４０’）に、前記インタフェースサブシステム（１１８）を介して前記モデムサービスを提供するように構成され、
前記デバイスは、前記外部クライアント（１３０、１３０’）に対するデータ接続を確立するためのデータインタフェース（１３２）を更に備え、前記データインタフェース（１３２）は、前記モデム装置（１００）の前記インタフェースサブシステム（１１８）と結合されることを特徴とする請求項１３に記載のデバイス。
【請求項１５】
前記モデム装置（１００）は前記デバイス（１３０）内でスタンドアロン装置として利用されることを特徴とする請求項１４に記載のデバイス。
【請求項１６】
内部クライアント（１４８、１６０）を更に備え、
前記内部クライアント（１４８、１６０）は前記モデム装置の前記インタフェースサブシステム（１１８）と結合することを特徴とする請求項１３ないし１５のいずれか１項に記載のデバイス。
【請求項１７】
前記内部クライアント（１４８、１６０）は、少なくとも１つの第２の無線通信規格に従って無線ネットワーク・アクセス・サービスを提供するように構成されることを特徴とする請求項１６に記載のデバイス。
【請求項１８】
前記少なくとも１つの第２の無線通信規格は、ＧＳＭ規格、ＵＭＴＳ、および高速パケットアクセス（ＨＳＰＡ）規格を含むグループから選定されることを特徴とする請求項１７に記載のデバイス。
【請求項１９】
前記内部クライアント（１４８、１６０）は、ユーザインタフェースサービスおよびマルチメディアサービス（１５６、１５８）の内の少なくとも１つを提供するように構成されることを特徴とする請求項１６ないし１８のいずれか１項に記載のデバイス。
【請求項２０】
前記デバイスは、データカード、移動電話機、携帯情報端末（ＰＤＡ）、パーソナルコンピュータ（ＰＣ）、またはカメラとして構成されることを特徴とする請求項１３ないし１９のいずれか１項に記載のデバイス。
【発明の詳細な説明】
【技術分野】
【０００１】
本発明は、一般的にモデム装置に関する。特に、本発明はモジュール環境において利用可能なモデム装置を指向する。
【背景技術】
【０００２】
ローカルエリアネットワーク（ＬＡＮ）、無線ＬＡＮ（ＷＬＡＮ）およびセルラネットワークの中で使用されるネットワークアクセスポント等のネットワークアクセスポントはユビキタスになりつつある。従って、高い接続性という観点からすると、多くの移動デバイスは、２つ以上のネットワークアクセス技術（ＮＡＴ：Ｎｅｔｗｏｒｋ  Ａｃｃｅｓｓ  Ｔｅｃｈｎｉｑｕｅ）に対するサポートを提供するという唯一の論理的結論に帰着する。
【０００３】
特許文献１はモジュール手法を教示する。ここでは、異なるネットワークアクセスモジュール（ローカルエリアネットワーク（ＬＡＮ）モジュールおよびＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）モジュール等）は、汎用シリアルバス（ＵＳＢ：Ｕｎｉｖｅｒｓａｌ  Ｓｅｒｉａｌ  Ｂｕｓ）規格に従った通信バスを介して相互に接続される。クローズドサーキット方式テレビ（ＣＣＴＶ：Ｃｌｏｓｅｄ−Ｃｉｒｃｕｉｔ  Ｔｅｌｅｖｉｓｉｏｎ）モジュール等の通信バスに接続される他のモジュールは、ＬＡＮモジュールを介してまたはＧＳＭモジュールを介して、信号を選択的に送信することができる。
【０００４】
非特許文献１には、移動デバイスに対する更なるモジュール化手法が記載されている。この手法は、移動プラットフォームの形をした機能モジュールに基づいており、移動プラットフォームは、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＥＤＧＥ（Ｅｎｈａｎｃｅｄ  Ｄａｔａ  ｆｏｒ  ＧＳＭ  Ｅｖｏｌｕｔｉｏｎ）または広帯域符号分割多元接続（ＷＣＤＭＡ）等の１つ以上の無線アクセス技術（ＲＡＴ：Ｒａｄｉｏ  Ａｃｃｅｓｓ  Ｔｅｃｈｎｉｑｕｅｓ）をサポートするディジタルベースバンドプロセッサを持っている。移動プラットフォームモジュールは１つの環境であり、この環境は、無線ネットワーク・アクセス・サービスおよび通信サービスを提供するのに要求される、必要な全ての集積回路およびソフトウェア（例えば、音声アプリケーション、データ・アプリケーション、またはマルチメディアアプリケーションに対する）を含むとともに、移動プラットフォームモジュールの内部に、もしくは移動プラットフォームモジュールの論理的に最上部に存在するアプリケーションに対してこれらのサービスを利用可能にするインタフェースをさらに含む。
【０００５】
非特許文献１によって提案されている移動プラットフォームモジュールのソフトウェアおよびハードウェアのアーキテクチャは、層およびスタックに構成される（また特許文献２を参照されたい）。最上位の層はアプリケーション層であり、顧客および事業者のアプリケーションを備える。ミドルウェア層は、個別の垂直ソフトウェアスタックに配列された異なるサービスに対してアプリケーションがアクセスすることを可能にする。このようなサービスは、ネットワーク・アクセス・サービス、データ通信サービス、ユーザインタフェースおよびコーデックサービス、基本アプリケーションサービス、およびオペレーション・サービスを含む。ソフトウェアスタックは、ハードウェア抽象化層（ハードウェアアブストラクションレイヤ）の最上位に配置されて、以前と同様に、ＧＰＲＳ、ＥＤＧＥおよびＷＣＤＭＡ要素を含むハードウェアに対する適切なインタフェースを提供する。
【０００６】
非特許文献１に教示されているモジュール化手法に従えば、移動プラットフォームモジュールは、移動デバイスの中でサードパーティのアプリケーションプロセッサを含むアプリケーションプラットフォームモジュールと共同設置することができる。サードパーティのプロセッサは、全てのアプリケーションおよびマルチメディア機能を扱うように構成される。従って、移動プラットフォームモジュールは、移動通信ネットワークに対するアクセスを提供する等、低減したセットの機能を扱うだけでよい。
【先行技術文献】
【特許文献】
【０００７】
【特許文献１】国際公開第００／２２８５７号パンフレット
【特許文献２】国際公開第０３／０６９４６３号パンフレット
【非特許文献】
【０００８】
【非特許文献１】Ａ．Ｇｈｏｓｈ、他、「移動体デバイスにおけるオープン・アプリケーション環境：ＪＭＥとエリクソン移動体機能モジュールに焦点（Ｏｐｅｎ  ａｐｐｌｉｃａｔｉｏｎ  ｅｎｖｉｒｏｎｍｅｎｔｓ  ｉｎ  ｍｏｂｉｌｅ  ｄｅｖｉｃｅｓ：Ｆｏｃｕｓ  ｏｎ  ＪＭＥ  ａｎｄ  Ｅｒｉｃｓｓｏｎ  Ｍｏｂｉｌｅ  Ｆｕｎｃｔｉｏｎａｌ  ｍｏｄｕｌｅｓ）」、エリクソン・レビュー（Ｅｒｉｃｓｓｏｎ  Ｒｅｖｉｅｗ）、Ｎｏ．２、Ｖｏｌ．８２、２００５、８２〜９１ページ（ＩＳＳＮ：００１４−０１７１）
【発明の概要】
【０００９】
従って、クライアントに対して無線ネットワーク・アクセス・サービスを提供することが可能な装置を技術的に実現する必要がある。
【００１０】
第１の視点に従えば、少なくとも１つの第１の無線通信規格に従った無線ネットワークアクセスを提供するように構成されたモデム装置が提供される。このモデム装置は、ハードウェアサブシステムと、階層化ソフトウェアサブシステムと、インタフェース・サブシステムとを備える。ハードウェアサブシステムは、前記少なくとも１つの第１の無線通信規格に従って構成され、ベースバンド処理要素および無線周波数要素を備える。階層化ソフトウェアサブシステムは、モデムサービスを提供するように構成されたデータ・アプリケーションを持つ上位のソフトウェア層と、第１の垂直ソフトウェアスタックと第２の垂直ソフトウェアスタックとを持つ低位のソフトウェア層とを備える。第１の垂直ソフトウェアスタックは、前記少なくとも１つの第１の無線通信規格に従って、データ・アプリケーションにネットワーク・アクセス・サービスを提供するように構成され、第２の垂直ソフトウェアスタックは、ローカルデータ通信サービスを提供するように構成される。また、インタフェース・サブシステムは、クライアントにモデムサービスを提供するためのものであり、インタフェース・サブシステムは１つ以上の規格化された物理インタフェースを備える。
【００１１】
本明細書においてソフトウェア層およびハードウェア層に関して使用する「上位の」および「下位の」という用語は、単に相対的な立場を示すものである。例えば、「下位の」ソフトウェア層は「上位の」ソフトウェア層に比較して低い位置にある。そして、「下位の」ソフトウェア層より下にあるソフトウェア層が更に存在していてもよい（この場合には、この「下位の」ソフトウェア層は、その層に対して「上位の」ソフトウェア層となるであろう）。
【００１２】
一般的に、データ・アプリケーションによって提供されるモデムサービスは、ハードウェアサブシステムの要素が関与する無線通信セッションの制御に関連することができる。データ・アプリケーションは、高いレベルのモデムコマンド（ＩＴＵ−Ｔコマンドまたはヘイズコマンドセット（Ｈａｙｅｓ  ｃｏｍｍａｎｄ  ｓｅｔ）のコマンド（これはまたＡＴコマンドとも呼ばれる）等）を生成、処理または転送し、モデム装置のモデムサービスを制御するように構成することができる。
【００１３】
第１の変形形態に従えば、モデム装置は、モデム装置が搭載されているデバイスの外部のクライアントに対して、インタフェース・サブシステムを介してモデムサービスを提供するように構成される。第２の変形形態（これは第１の変形形態と組み合わせることができる）に従えば、モデム装置は、デバイスの内部に設置されたクライアントに対して、インタフェース・サブシステムを介してモデムサービスを提供するように構成される。モデム装置は、モジュール構成を有していてもよい。当該モジュール構成は、外部クライアントに対してモデムサービスを提供するスタンドアロン装置として選択的に設置されるか、および／または、デバイス内の内部クライアントと共同設置されて、内部クライアントに対してモデムサービスを提供することができる。従って、モデム装置はネットワークアクセスプラットフォームモジュールとして動作することができる。
【００１４】
下位のソフトウェア層に含まれる各垂直ソフトウェアスタックは、２つ以上の個別のソフトウェア要素を備えることができる。垂直ソフトウェアスタックは、それぞれ本質的に自己充足型のサイロであることができ、これは、ソフトウェア要素同士のスタック間通信はいずれもディセーブルされているか、または少なくとも大幅に低減されている可能性があるということを意味している。各垂直ソフトウェアスタックは内部で階層化構造を有することができる。
【００１５】
モデム装置の下位のソフトウェア層は、モデム装置に対するオペレーション・サービスを提供するように構成された第３の垂直ソフトウェアスタックを更に備えることができる。第３の垂直ソフトウェアスタックによって提供されるオペレーション・サービスは、システム制御、無線制御、汎用集積回路カード（ＵＩＣＣ：Ｕｎｉｖｅｒｓａｌ  Ｉｎｔｅｇｒａｔｅｄ  Ｃｉｒｃｕｉｔ  Ｃａｒｄ）アクセス（加入者識別モジュール（ＳＩＭ：Ｓｕｂｓｃｒｉｂｅｒ  Ｉｄｅｎｔｉｔｙ  Ｍｏｄｕｌｅ）アクセスを含む）、クロックサーバアクセス、無線アクセス技術内（ＩＲＡＴ：Ｉｎｔｅｒｎａｌ  Ｒａｄｉｏ  Ａｃｃｅｓｓ  Ｔｅｃｈｎｏｌｏｇｙ）ハンドオーバ、電話帳サービス、プロキシ管理、要素管理、更新管理、および動作性能管理の内の少なくとも１つを備えることができる。
【００１６】
モデム装置は、「薄い」構成を有することができ、従って、ずれかのユーザインタフェースおよびマルチメディアの能力が欠けるものであってもよい。従って、このような「薄い」構成では、ユーザインタフェースサービスおよびマルチメディアサービスを提供するためのソフトウェアスタックは、下位のソフトウェア層では省略することができる。例えば、下位のソフトウェア層は、もっぱら、第１の垂直ソフトウェアスタック、第２の垂直ソフトウェアスタック、および第３の垂直ソフトウェアスタックで構成することができる。
【００１７】
第２の垂直ソフトウェアスタックによって提供されるローカルデータ通信サービスは、単一のデバイスの中で、モデム装置と、モデム装置と共同設置された別の要素との間の通信に関連することができる。追加としてまたは代替として、ローカルデータ通信サービスは、モデム装置（またはモデム装置のホストとして動作するデバイス）を片方として近傍のアクセスポイント（例えばローカルエリアネットワークの）との間の通信に関連することができる。
【００１８】
第２の垂直ソフトウェアスタックによって提供されるデータ通信サービスは、汎用シリアルバス（ＵＳＢ：Ｕｎｉｖｅｒｓａｌ  Ｓｅｒｉａｌ  Ｂｕｓ）インタフェースサービス、汎用入出力（ＧＰＩＯ：Ｇｅｎｅｒａｌ  Ｐｕｒｐｏｓｅ  Ｉｎｐｕｔ  Ｏｕｔｐｕｔ）インタフェースサービス、汎用非同期送受信回路（ＵＡＲＴ：Ｕｎｉｖｅｒｓａｌ  Ａｓｙｎｃｈｒｏｎｏｕｓ  Ｒｅｃｅｉｖｅｒ  ａｎｄ  Ｔｒａｎｓｍｉｔｔｅｒ）インタフェースサービス、ＩｒＤＡ（Ｉｎｆｒａｒｅｄ  Ｄａｔａ  Ａｓｓｏｃｉａｔｉｏｎ）インタフェースサービス、ディジタルＲＦ（Ｄｉｇｉｔａｌ  ＲＦ）インタフェースサービス、無線ローカルエリアネットワーク（ＷＬＡＮ）サービス、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）サービス、ＡＴコマンド管理、およびインターネットプロトコルサービスの内の少なくとも１つ備えることができる。
【００１９】
１つの実現形態では、ソフトウェアサブシステムはミドルウェア層を更に備える。ミドルウェア層は、下位のソフトウェア層が提供するサービスに対して、デバイスの内部に搭載されているアプリケーションがアクセスすることを可能にするように構成される。このようなアプリケーションは、モデム装置の上位のソフトウェア層の上に、および／またはデバイスの内部でモデム装置と共同設置されている別個の装置の中に搭載することができる。
【００２０】
モデムデバイスのインタフェース・サブシステムは、ＵＳＢインタフェース（例えば、高データレートでのユーザデータの転送に対して）、ＧＰＩＯインタフェース（例えば、モデムウェークアップおよび時間同期信号の転送に対して）、ＵＡＲＴインタフェース（例えば、低データレートでの制御データおよびユーザデータの転送に対して）、およびディジタルＲＦインタフェース（例えば、いくつかのネットワークアクセス技術またはプラットフォームを１つの無線フロントエンドに合成するために）等の、規格化された（または「公開（オープン）」の）１つ以上の物理インタフェースの内の少なくとも１つを備えることができる。プロプライエタリインタフェース（メモリ−にマッピングされたインタフェース等）は従って、インタフェース・サブシステムの中では省略されて、それにより、一体化し易くし、異なった利用に対する変形形態におけるモデム装置のモジュールとしての再使用可能性を強化することができる。
【００２１】
これら１つ以上の物理インタフェースは、論理通信インタフェースを明確に定義するための基盤を形成することができる。このような論理通信インタフェースは、オペレーティングシステムのリンクハンドラ、適切なデバイスドライバと組み合わせた専用のインタフェースアプリケーション、ＤＥＣＭ（Ｄｉｓｔｒｉｂｕｔｅｄ  Ｅｒｉｃｓｓｏｎ  Ｃｏｍｐｏｎｅｎｔ  Ｍｏｄｅｌ）等を含むことができる。モデム装置は、このような論理通信インタフェースを複数備えることができる。
【００２２】
前記少なくとも１つの第１の無線通信規格は、移動（例えば、セルラ）通信規格であってよい。例えば、この少なくとも１つの第１の無線通信規格は、ＬＴＥ（Ｌｏｎｇ  Ｔｅｒｍ  Ｅｖｏｌｕｔｉｏｎ）規格および高速パケットアクセス（ＨＳＰＡ：Ｈｉｇｈ  Ｓｐｅｅｄ  Ｐａｃｋｅｔ  Ａｃｃｅｓｓ）エボルーション規格を備えるグループから選定することができる。
【００２３】
モデム装置は、回路基板として構成することができる。さらに、モデム装置は、１つ以上のＤＳＰおよび／または１つ以上のＡＳＩＣを使用して実現することができる。
【００２４】
上記で言及したように、モデム装置は、モジュール化手法に従って異なる構成の中で再使用するよう適合させることができる。モデムデバイスは、例えば、スタンドアロンモジュールとして、または代替として、１つ以上の他のモジュールとともにデュアル（またはトリプル等）モード構成として使用可能なように構成することができる。後者の場合には、２つ以上の機能モジュール（モデム装置および内部クライアント等）が１つかつ同一のデバイスの中で共同設置されて、互いに通信するように構成されるであろう。
【００２５】
更なる視点に従えば、本明細書において検討したモデム装置を備えるデバイスが提供される。モデム装置が、インタフェース・サブシステムを介して、デバイスの外部のクライアントに対してモデムサービスを提供するよう適合されている構成では、デバイスは、外部クライアントとのデータ接続および／または制御接続を確立するためのデータ・インタフェースを更に備えることができる。データ・インタフェースはモデム装置のインタフェース・サブシステムと結合することができる。
【００２６】
第１の変形形態に従えば、モデム装置はデバイスの中でスタンドアロン装置として利用することができる。第２の利用変形形態に従えば、モデム装置はデバイス内で内部クライアントと共同設置され、内部クライアントは、モデム装置のインタフェース・サブシステムと結合することができる。双方の変形形態は必要に応じて組み合わせることができる。
【００２７】
内部クライアントは、サービスプロバイダとしても動作するように構成することができる。例えば、内部クライアントは、少なくとも１つの第２の無線通信規格に従って、モデム装置を組み込んでいるデバイスに対して、および／またはそこに取り付けられた外部デバイスに対して、無線（例えば、セルラ）ネットワーク・アクセス・サービスを提供することができる。この少なくとも１つの第２の無線通信規格は、ＧＳＭ通信規格、汎用移動通信システム（ＵＭＴＳ）規格および高速度パケットアクセス（ＨＳＰＡ）規格を備えるグループから選定することができる。２つ以上の異なる無線通信規格をサポートするするデバイス構成においては、ＩＲＡＴハンドオーバメカニズムを実行して、異なるネットワークアクセス技術の間のハンドオーバを行うことができる。
【００２８】
内部クライアントがサービスプロバイダとしても動作するように構成されたシナリオでは、内部クライアントは、ユーザインタフェースサービスよびマルチメディアサービスの内の少なくとも１つを提供するように構成することができる。提供することができる他の典型的なサービスは、以下のサービスの内の少なくとも１つを含む。これらは、ネットワークアクセス（特に、例えばモデム装置の無線周波数要素を使用した無線（例えばセルラ）ネットワークアクセス）、大容量データ記憶、オーディオサービス、ビデオサービス、ディジタル著作権管理（ＤＲＭ：Ｄｉｇｉｔａｌ  Ｒｉｇｈｔｓ  Ｍａｎａｇｅｍｅｎｔ）サービス、オブジェクト交換（ＯＢＥＸ：Ｏｂｊｅｃｔ  Ｅｘｃｈａｎｇｅ）サービス、アプリケーションサービスおよびデバイス管理サービスである。
【００２９】
デバイスは、一般的に、データ（またはモデム）カード、移動電話機、携帯情報端末（ＰＤＡ）、パーソナルコンピュータ（ＰＣ）、ディジタルカメラ（例えば、写真またはビデオカメラ）、またはそれらの組み合わせとして構成することができる。
【００３０】
デバイスは、最終顧客に販売するのに適した最終製品、または、代替として、半最終製品であってよい。最終製品は、モデム装置（すなわち、ネットワークアクセスプラットフォームモジュール）を単独に備える、または、内部クライアント（例えば、アプリケーションプラットフォームモジュールまたはネットワークアクセスプラットフォームモジュール）と組み合わせたモデム装置を備えることができる。半最終製品は、例えば、内部クライアントをまだ備えることができず、内部クライアントを備える機能モジュールを受け入れるための接触構造だけを備えることができる。半最終製品は、例えば、１つ以上のプリント回路基板（ＰＣＢ：Ｐｒｉｎｔｅｄ  Ｃｉｒｃｕｉｔ  Ｂｏａｒｄ）の形で実現することができる。接触構造は、チップソケット、半田バンプ等を含むことができる。
【００３１】
本明細書において提示する技術の更なる視点および利点は、好適な実施形態の以下の記述および図面から明らかになるであろう。
【図面の簡単な説明】
【００３２】
【図１】典型的な装置の実施形態の第１のブロック図である。
【図２】図１の装置の実施形態の更に詳細な第２のブロック図である。
【図３】スタンドアロン構成におけるモデム装置を持つ典型的な第１のデバイスの実施形態のブロック図である。
【図４】公知の内部構成を有するネットワークアクセス装置と共同設置されている、デュアルモード構成におけるモデム装置を持つ典型的な第２のデバイスの実施形態のブロック図である。
【図５】未知の内部構成を持つネットワークアクセス装置と共同設置されている、デュアルモード構成におけるモデム装置を持つ典型的な第３のデバイスの実施形態のブロック図である。
【発明を実施するための形態】
【００３３】
好適な実施形態の以下の記述においては、限定の目的ではなく説明の目的で、具体的詳細（特定のインタフェース、ネットワークアクセス技術およびデバイス構成等）が記載され、本発明の十分な理解が提供される。当業者には、本発明はこれらの具体的詳細とは異なる実施形態で実行可能であるという点が明らかであろう。例えば、実施形態は、主として、それぞれ、ＵＭＴＳ規格およびＬＴＥ規格に従った、第３世代および第４世代移動通信システムにおける状況において記述されるであろうが、本発明はまた、他の第３世代および第４世代移動通信規格（ＨＳＰＡエボリューション等）、および、例えば、ＧＳＭ規格に従った第２世代移動通信技術と結合して実施することも可能であるという点は明らかであろう。
【００３４】
さらに、当業者は、本明細書において以下で説明するサービス、機能、およびステップは、プログラムされたマイクロプロセッサ、ＡＳＩＣ、ＤＳＰまたは一般目的のコンピュータと連携して機能するソフトウェアを使用して実施することも可能であると理解するであろう。また、以下の実施形態は主としてデバイスに関連して記述されるが、本発明はまた、コンピュータプロセッサとそのプロセッサに結合したメモリとを備えるシステムの中で実施することも可能であるということも理解するであろう。ここでメモリは、１つ以上のプログラムによって符号化され、これらのプログラムは、本明細書において開示するサービス、機能およびステップの少なくともいくつかを実行することができる。
【００３５】
図１は、モデム装置１００の実施形態のブロック図を示す。モデム装置１００は、ＬＴＥ規格に従って無線ネットワークアクセスを提供するように構成される。モデム装置１００は階層化アーキテクチャに構成されたソフトウェア要素およびハードウェア要素を備える。
【００３６】
ハードウェア要素は、最下位のハードウェア層に無線周波数フロントエンド要素１０２と、上位のハードウェア層にディジタル・ベースバンド処理要素１０４とともにアナログ・ベースバンド処理要素１０６とを備える。ソフトウェアアーキテクチャは、アプリケーション・スイート１１６を持つ上位のソフトウェア層と、アプリケーションプログラミングインタフェース（ＡＰＩ：Ａｐｐｌｉｃａｔｉｏｎ  Ｐｒｏｇｒａｍｍｉｎｇ  Ｉｎｔｅｒｆａｃｅ）１１４を提供するミドルウェア層と、３つの垂直ソフトウェアスタック１０８、１１０、１１２を持つ下位のソフトウェア層とで構成される。第１の垂直ソフトウェアスタック１０８は、アプリケーション・スイート１１６のデータ・アプリケーションに対してＬＴＥ規格に従ってネットワーク・アクセス・サービスを提供するように構成される。第２の垂直ソフトウェアスタック１１０は、モデム装置１００と、モデム装置１００を組み込んでいるデバイスの他の要素またはモジュール（図示せず）との間の通信のためのローカルデータ通信サービスを提供するように構成される。このようなデータ通信サービスは、ＵＳＢインタフェースサービス、ＧＰＩＯインタフェースサービス、ＵＡＲＴインタフェースサービス、ディジタルＲＦインタフェースサービス等を備えることができる。第３の垂直ソフトウェアスタック１１２は、モデム装置に対するオペレーション・サービスを提供するように構成される。このようなオペレーション・サービスは、システム制御、無線制御、ＳＩＭアクセス等を含む。
【００３７】
モデム装置１００は、ソフトウェアインタフェース要素およびハードウェアインタフェース要素を持つインタフェース・サブシステム１１８を更に備える。第２の垂直ソフトウェアスタック１１０は、少なくともいくつかのソフトウェアインタフェース要素を含むことができ、ディジタル・ベースバンド要素１０４は、少なくともいくつかのハードウェアインタフェース要素を含むことができる。インタフェース・サブシステム１１８は、モデム装置１００が提供するモデムサービスに対するアクセスをクライアント（図１には示されていない）に提供する。
【００３８】
従って、図１に示したモデム装置１００は、モデムサービスを要求するクライアントに関係するモデムサービスを提供するデバイス（データカード等）の中に、スタンドアロン装置として利用するのに必要な全てのハードウェア要素およびソフトウェア要素を含む。本実施形態では、下位のソフトウェア層は、もっぱら３つのソフトウェアスタック１０８、１１０、および１１２で構成されているという点に注意すべきである。換言すれば、モデム装置１００は、ユーザインタフェースサービス（例えば、人間機械インタフェース（ＭＭＩ））またはマルチメディアサービス（音声サービスまたはビデオサービス等）を提供するように意図されてはいない、またはそのように構成されてはいないということである。このようなサービスが要求される場合には、モデム装置１００は、要求されるサービスを提供する別のデバイスと、モジュール形式で共同設置することができる。
【００３９】
図２は図１に示したモデム装置１００の更なる詳細を示す。図２に示すように、アプリケーション・スイート１１６は、それぞれ個別の垂直ソフトウェアスタック１０８、１１０、１１２に関連して、３つの個別のアプリケーションタイプ１１６Ａ、１１６Ｂ、１１６Ｃを備える。具体的には、データ・アプリケーション１１６Ａは、高レベルコマンド（「番号ＸＹＺをダイヤルする」等）に従って（典型的には）ＬＴＥネットワーク・アクセス・サービス１０８を制御するように構成される。接続性アプリケーション１１６Ｂは、（例えばインタフェース・サブシステム１１８を介して）設定されるべきデバイス内部の個々の接続を識別し、データ通信サービス１１０をそれに従って制御するように構成される。最後に、ホスト・デバイス・アプリケーション１１６Ｃは、特に、モデム装置１００のインタフェース・サブシステム１１８に結合したクライアントデバイス（カメラ、ＰＤＡ、ＴＶ等）を制御し、それに従って基本サービスおよびオペレーション・サービス１１２と通信するように構成される。
【００４０】
それぞれの３つのソフトウェアスタック１０８、１００、１１２に対して、専用のハードウェア抽象化（アブストラクション）要素１０８’、１１０’、１１２’が提供される。ハードウェア抽象化要素１０８’、１１０’、１１２’は、モデム装置１００のハードウェア要素を制御するのに必要なハードウェアドライバを含む。図２に示すように、これらのハードウェア要素は、無線周波数フロントエンド１０２、ディジタル・ベースバンド要素１０４、アナログ・ベースバンド要素１０６とともに、インタフェース・サブシステム１１８の残りのハードウェア要素を含む。
【００４１】
無線周波数フロントエンド１０２（無線周波数送受信機、フィルタ、デュープレクサ等）の構成、およびアナログ・ベースバンド要素１０６（オプションとしてのＳＩＭ、電力供給、ＬＥＤ制御等）の構成は、当業者には一般的に公知であり、従ってそれらに関するより詳細な記述はここでは省略する。ディジタル・ベースバンド要素１０４の構成もまた、大部分は当業者には公知である（ＡＲＭ９プロセッサおよびＡＲＭ１１プロセッサ、デマルチプレクサ（ｄｅｍｕｘｅｒ）、デマッパ（ｄｅｍａｐｐｅｒ）、復号器等）。この理由により、ディジタル・ベースバンド要素１０４の特定のインタフェース機能だけを以下でより詳細に記述する。ディジタル・ベースバンド要素１０４はインタフェース・サブシステム１１８の中に包含される。
【００４２】
同一のデバイスの中でモデム装置１００と共同設置されるクライアントまたは外部デバイスの中に設置されるクライアントに関するインタフェース・サブシステム１１８のインタフェース機能は、本実施形態ではＵＳＢ規格に基づいている。従って、モデム装置１００のインタフェース・サブシステム１１８は、電気的なＵＳＢ端子（図２には示されていない）と共に、ＵＳＢクライアント回路１０４ＡおよびＵＳＢホスト回路１０４Ｂを備え、どちらもディジタル・ベースバンド要素１０４に一体化されている。ＵＳＢクライアント回路１０４Ａは、モデムサービスを要求する外部のＵＳＢホストデバイス（ＰＣおよびラップトップ等）にモデム装置１００を接続するために使用する。このような接続は、ＵＳＢインタフェースを介して、ＰＣカードインタフェースを介して、またはＰＣＩエクスプレス（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）インタフェースを介して直接に行うことができる。ＵＳＢホスト回路１０４Ｂは、ＵＳＢクライアントデバイス（ディジタルビデオまたは写真カメラ、ＰＤＡ、ＴＶ等）にモデム装置１００を接続するために使用する。さらに、ＵＳＢホスト回路１０４Ｂはまた、１つかつ同一のデバイスの中でモデム装置１００と共同設置された別の装置（別の移動ネットワークアクセスプラットフォームモジュールまたはアプリケーションプラットフォームモジュール等）に対するインタフェースとしても使用することができる。制御シグナリング（例えば、ＩＲＡＴハンドオーバ、ＵＩＣＣ／ＳＩＭアクセス、プラットフォーム間通信およびサービス制御に対する）も同様に、ＵＳＢインタフェースを介して実施することができる。
【００４３】
デバイス内（例えば、プラットフォーム間またはモジュー間）の通信に対しては、規格化された２つの更なるインタフェースがインタフェース・サブシステム１１８の中に含まれる。具体的には、図２に示すように、インタフェース・サブシステム１１８は、ＧＰＩＯインタフェース１０４ＣおよびＵＡＲＴインタフェース１０４Ｄを更に備え、これらはどちらも、共同設置された２つ以上のモジュールの間の制御情報および低速度のユーザデータの転送に使用される。これらのインタフェース１０４Ｃおよび１０４Ｄは、例えばこれを利用して、モデム装置１００によって提供されるＬＴＥアクセス技術（例えば、ＬＴＥのクォータサンプル（ｑｕａｒｔｅｒ−ｓａｍｐｌｅ）カウンタ）を、第２のネットワークアクセスプラットフォームモジュールによって提供される別のアクセス技術（例えば、Ｗ−ＣＤＭＡのクォータチップ（ｑｕａｒｔｅｒ−ｃｈｉｐ）カウンタ）に同期させることができる。この第２のネットワークアクセスプラットフォームモジュールは１つかつ同一のデバイスの中でモデム装置１００と共同設置される。さらに、インタフェース１０４Ｃ、１０４Ｄの１つまたは両方は、これを使用して、別のモジュールによってモデム装置１００のウェークアップを起動することもできるであろう。
【００４４】
無線周波数フロントエンド１０２とディジタル・ベースバンド要素１０４（または、モデム装置１００と共同設置されたネットワークアクセスプラットフォームモジュールの遠隔ディジタル・ベースバンド要素）との間のユーザデータを転送するために、インタフェース・サブシステム１１８は、ディジタル・ベースバンド要素１０４の内部にディジタルＲＦインタフェース１０４Ｆを備える。ディジタルＲＦインタフェース１０４Ｆはまた、これを使用して、異なる（例えば、共同設置された）制御装置から供給される、無線周波数フロントエンド１０２に対する制御信号を多重化することができる。
【００４５】
インタフェース・サブシステム１１８は、ＷＬＡＮインタフェース１０４Ｅをさらに備える。ＷＬＡＮインタフェース１０４Ｅもまた、ディジタル・ベースバンド要素１０４の内部に部分的に設置される。規格化されたＷＬＡＮインタフェース１０４Ｅは、ＷＬＡＮカバーエリアの中でオプションとしてのＷＬＡＮアクセスのために使用される。インタフェース・サブシステム１１８はまた、電力供給接続インタフェース１１８Ｇ（例えば、ＵＳＢまたはＰＣＩを介して）を備え、モデム装置１００にその動作に必要な電力を供給する。
【００４６】
モデム装置１００は、これまでに議論した物理インタフェースに加えて、１つ以上の論理インタフェースを備え、同一のデバイスの中でモデム装置１００と共同設置された別のモジュール（例えば、ネットワークアクセスプラットフォームモジュールまたはアプリケーションプラットフォームモジュール）に、モデム装置１００を論理的に結合させる（物理インタフェースを介して）。第１の論理インタフェースの概念に従えば、モジュール間通信は、オペレーションシステムのリンクハンドラの能力を使用してプロセッサ間通信を確立する。論理インタフェースに対する別の概念に従えば、モジュール間通信は、専用のアプリケーションおよびそれに対応したデバイスドライバを使用して、モジュール間で専用のソフトウェア要素とインタフェースとを接続する。第３の論理インタフェースの概念として、ＤＥＣＭ（Ｄｉｓｔｒｉｂｕｔｅｄ  Ｅｒｉｃｓｓｏｎ  Ｃｏｍｐｏｎｅｎｔ  Ｍｏｄｅｌ）と呼ばれるモデルを挙げることができる。これらの論理インタフェースの概念または他の論理インタフェースの概念は、それらを２つ以上組み合わせて実施することができる。
【００４７】
論理インタフェースは、同一のデバイスの内部に設置された２つ以上のモジュールの間で制御データおよびユーザデータを転送するために使用することができる。例えば、論理インタフェースを使用して、ＩＲＡＴハンドオーバシグナリングをモジュールの間で転送し、遠隔ＵＩＣＣ／ＳＩＭアクセス（例えば、別のネットワークアクセスプラットフォームモジュールに接続されたＵＩＣＣ／ＳＩＭに対するモデム装置１００によるアクセス）等に対して、１つのモジュールの（例えば、図２に示されたモデム装置１００の）遠隔制御を別のモジュールによって（例えば、モデム装置１００と共同設置されたＷ−ＣＤＭＡプラットフォームモジュールによって）実行することができる。
【００４８】
図３はデバイス１３０の１つの実施形態を示す。デバイス１３０は、上記の図１および図２とともに議論したモデム装置１００をスタンドアロンシステム構成の中に含んでいる。図３の典型的な実施形態においては、モデム装置１００は、単一のモードとしてデータカード１３０の中に搭載されたＬＴＥプラットフォームモジュールである。データカード１３０の中で、ＬＴＥプラットフォームモジュール１００は、ラップトップまたはＰＣ１４０等の外部デバイスに関して、スタンドアロン通信システム（モデム）として動作する。具体的には、データカード１３０はＵＳＢデータ・インタフェース１３２を有し、ＵＳＢデータ・インタフェース１３２はインタフェース・サブシステム１１８のＵＳＢデータ・インタフェースをＰＣ１４０に延長する。ＰＣ１４０から見ると、ＬＴＥプラットフォームモジュール１００はＵＳＢクライアントであり、このＵＳＢクライアントは物理的にＰＣＩエクスプレスインタフェースの部分である。オプションとして、ＬＴＥプラットフォームモジュール１００はまた、図３に示すようにＷＬＡＮインタフェースを備えることができる。
【００４９】
図３に示されているスタンドアロン構成においては、アナログ・ベースバンド要素１０６は、ＳＩＭインタフェース（図２を参照されたい）および電力管理機能を含む。電力はＰＣＩエクスプレスインタフェースを介して供給される。ＬＴＥプラットフォームモジュール１００のデータ・アプリケーション１１６は、従来のデータカードアプリケーションスイートを含み、モデムサービスを提供する。
【００５０】
図４は、移動電話機１３０’の形におけるデュアル移動デバイスの実施形態を示す。このデュアル移動デバイスは、ＬＴＥプラットフォームモジュール１００とともにＵＭＴＳプラットフォームモジュール１４８を備える。ＬＴＥプラットフォームモジュール１００は、上記で図１および図２とともに議論したように構成される。ＵＭＴＳプラットフォームモジュール１４８は、従来のＵＭＴＳ電話機の機能を提供する。これらの機能は、スタックされた５つのソフトウェアアーキテクチャに基づき、それらは、ＵＭＴＳアクセス・サービス１５０に加えて、データ通信サービス１５２、オペレーション・サービス１５４、ユーザインタフェース（ＭＭＩ）およびマルチメディアサービス１５６、更にプラットフォームアプリケーションサービス１５８を含む。さらに、ＵＭＴＳプラットフォームモジュール１４８は、ディジタル・ベースバンド要素１０４’、アナログ・ベースバンド要素１０６’、ミドルウェア・サービス１１４’、およびアプリケーション・スイート１１６’を備える。
【００５１】
ＬＴＥプラットフォームモジュール１００は、ＵＭＴＳプラットフォームモジュール１４８に向けてのＬＴＥコプロセッサとして動作する。モジュール間通信は、ＵＳＢインタフェース、および関連するＧＰＩＯインタフェースおよびＵＡＲＴインタフェースを介して実行される。これは図４に示されている。ＵＳＢインタフェースを通して提供されるモデムサービスに関しては、ＬＴＥプラットフォームモジュール１００は、ＵＳＢホストとして動作するが、ＵＭＴＳプラットフォームモジュール１４８は、ＵＳＢクライアントとして動作する。
【００５２】
図４に示すように、無線周波数フロントエンド１０２（無線周波数送受信機を含む）は、２つのプラットフォームモジュール１００、１４８の間で共有され、ＬＴＥプラットフォームモジュール１００の上に設置される。この理由のために、２つのモジュール１００、１４８の間にディジタルＲＦインタフェースが提供され、ＵＭＴＳプラットフォームモジュール１４８に対して、ＬＴＥプラットフォームモジュール１００の無線周波数フロントエンド１０２へのアクセスが与えられる。ＬＴＥプラットフォーム１００は、ディジタルＲＦ切り替えの能力を備え、ＬＴＥプラットフォームモジュール１００よびＵＭＴＳプラットフォームモジュール１４８の間のディジタルＲＦデータストリームの切り替え（例えば、ＩＲＡＴ測定の場合）を行う。
【００５３】
無線周波数フロントエンド１０２はＬＴＥプラットフォームモジュール１００の上に設置されるが、アナログ・ベースバンド処理は、完全に、ＵＭＴＳプラットフォームモジュール１４８側で、アナログ・ベースバンド要素１０６’によって扱われる。ＬＴＥプラットフォームモジュール１００に対する電力は、ＵＭＴＳプラットフォームモジュール１４８を介して供給される。
【００５４】
移動電話機１３０’はデュアルモード構成を有し、このデュアルモード構成は、移動電話機が、アプリケーション・スイート１１６’のアプリケーションまたはラップトップ１４０’等の外部クライアントに対して、ＬＴＥモデムサービスおよびＵＭＴＳモデムサービス（電話サービスを含む）を提供することを可能にする。外部クライアント１４０’にＬＴＥサービスおよびＵＭＴＳサービスを提供するために、ラップトップ１４０’に対してＵＳＢインタフェースが使用される。物理的には、ラップトップ１４０’に対するＵＳＢインタフェースは、ＰＣＩエクスプレスインタフェースの一部である。ラップトップ１４０’にモデムサービスに提供する場合には、ＬＴＥプラットフォームモジュールはＵＳＢクライアントとして動作するが、ラップトップ１４０’はＵＳＢホストとして動作する。
【００５５】
図４に示した実施形態においては、ＷＬＡＮインタフェースはＵＭＴＳプラットフォームモジュール１４８によってホストされる。ＷＬＡＮでのインターネット接続共有（ＩＣＳ：Ｉｎｔｅｒｎｅｔ  Ｃｏｎｎｅｃｔ  Ｓｈａｒｉｎｇ）の使用がサポートされるべき場合には、ＷＬＡＮインタフェースはＬＴＥプラットフォームモジュール１００に移動することができる。この手法は、全てのユーザデータ部分が、１つの単一のプラットフォームモジュールの中に保持されるという利点を有する。
【００５６】
ＬＴＥプラットフォームモジュール１００の上のアプリケーション・スイート１１６は、最小値にまで低減され、そして基本的には、モジュール間通信とともにＬＴＥモデムアプリケーションだけをサポートする。ＵＭＴＳプラットフォームモジュール１４８側のアプリケーション・スイート１１６’は、移動電話機に対するアプリケーションの完全なセットを含む。
【００５７】
図５は、移動電話機１３０’の形におけるデバイスの別の実施形態を示す。この移動電話機１３０’には、ＬＴＥプラットフォームモジュール１００とともにＵＭＴＳプラットフォームモジュール１６０が組み込まれている。ＬＴＥプラットフォームモジュール１００は、図１および図２のモデム装置に関連して上記で議論した構成を有することができる。一方、ＵＭＴＳプラットフォームモジュールは、任意の（および典型的には未知の）ハードウェアおよびソフトウェアアーキテクチャを有するサードパーティのプラットフォームに基づくことができる。
【００５８】
以前と同様に、ＬＴＥプラットフォームモジュール１００は、ＵＭＴＳプラットフォームモジュール１６０に向けたＬＴＥコプロセッサとして動作する。２つのモジュール１００、１６０の間の通信は、規格化されたＵＳＢインタフェースおよび関連した（および同様に規格化された）ＧＰＩＯインタフェースによって実現するのが有利である。ＵＡＲＴインタフェースがＵＭＴＳプラットフォームモジュール１６０によってサポートされる場合には、追加的にＵＡＲＴインタフェースを利用して、モジュール間通信を行うことが可能である。ＵＳＢインタフェースに関しては、ＬＴＥプラットフォームモジュール１００はＵＳＢホストとして動作するが、ＵＭＴＳプラットフォームモジュール１６０は、ＵＳＢクライアントとして動作する。
【００５９】
ＬＴＥプラットフォームモジュール１００およびＵＭＴＳプラットフォームモジュール１６０は、どちらも専用の無線周波数要素を有する。換言すれば、ＬＴＥプラットフォームモジュール１００は、ＬＴＥ無線周波数処理（ＲＦ要素１０２を介して）を扱うが、ＵＭＴＳプラットフォームモジュール１６０は、ＵＭＴＳ無線周波数処理を扱う。ＳＩＭインタフェースおよび電力供給を含むアナログ・ベースバンド処理は、完全にＵＭＴＳプラットフォームモジュール１６０の側で扱われる（すなわち、電力はＵＭＴＳプラットフォームモジュール１６０からＬＴＥプラットフォームモジュール１００に供給される）。ラップトップ１４０’等の外部クライアントに対してＬＴＥモデムサービスおよびＵＭＴＳモデムサービスを提供するために、ラップトップ１４０’に向けてのＵＳＢインタフェースがＬＴＥプラットフォームモジュール１００の上に設置される。このＵＳＢインタフェースはまた、ラップトップ１４０’がＵＭＴＳモデムサービスを要求した場合には、ＵＭＴＳプラットフォームモジュール１６０によって利用される。ＬＴＥプラットフォームモジュールは、ＵＳＢのＯＴＧ（Ｏｎ−Ｔｈｅ−Ｇｏ）機能を有することができる。ＷＬＡＮインタフェースは、それがＵＭＴＳプラットフォームモジュール１６０の一部でない場合には、ＬＴＥプラットフォームモジュール１００によってホストされる。図５には示されていないが、ディジタルＲＦインタフェースもまた、２つのプラットフォームモジュール１００、１６０の間に提供することができる。
【００６０】
ＬＴＥプラットフォームモジュール１００のアプリケーション・スイート１１６は、最小値にまで低減され、基本的には、モジュール間通信だけをサポートする。一方で、ＵＭＴＳプラットフォームモジュール１６０側のアプリケーションは、移動電話機の上に典型的に搭載されるアプリケーションの完全なセットを含むことができる。
【００６１】
上記の実施形態から明らかになったように、本明細書で提示した技術は、非常に柔軟な通信モデムの解決策を提供する。この解決策は、種々の異なるシステム構成において僅かな追加的な努力だけで構築し実施することができる。
【００６２】
インタフェースの概念全体は、規格化されたインタフェースに基づき、大部分のネットワークアクセスプラットフォームモジュールおよびアプリケーションプラットフォームモジュールの中で利用可能であろう。これらの規格化されたインタフェースに基づけば、ＩＲＡＴハンドオーバメカニズムまたはＵＩＣＣ／ＳＩＭアクセス等のモジュール間通信は、非常に効率よく実施することができる。
【００６３】
個々のモデム装置は、コストで競争するスタンドアロンとする解決策（例えば、ＷｉＭＡＸデバイスの代替として）、またはデュアル（またはトリプル等）モードのプラットフォームデバイスのどちらかとして実施することができる。このようなマルチモードのプラットフォームデバイスにおいては、本明細書において提案した手法によって、現在存在する移動システムに対して、商用化への時間を最も短く、また追加的な設計努力およびコストを最小にした、新しいアクセス技術を追加することが可能になる。さらに、カメラ、移動ＴＶ、ＰＤＡ等の無線接続を必要とする任意のデバイスにおいて、設計努力を殆ど必要とせずにネットワークアクセス技術を追加することができる。また、新しいアクセス技術を、現在存在するアクセス技術およびアプリケーションシステムから独立にスケーリングすること、および独立に更新することが可能になる。
【００６４】
これまでの記述から、本実施形態の多くの利点が十分に理解されたと信じられる。それらの典型的な視点からした、形状、構成および配置における様々な変更が可能であり、それらは本発明の範囲から逸脱するものではなく、また、本発明の何らの利点を犠牲にするものでもないという点が明らかであろう。本発明は多くの様式で変形を加えることが可能であり、従って本発明は、以下の特許請求項の範囲によってのみ限定されるべきであると認識されるであろう。
【図１】
2011527845.tif 000003
【図２】
2011527845.tif 000004
【図３】
2011527845.tif 000005
【図４】
2011527845.tif 000006
【図５】
2011527845.tif 000007
【手続補正書】
【提出日】平成22年5月6日(2010.5.6)
【手続補正１】
【補正対象書類名】明細書
【補正対象項目名】０００６
【補正方法】変更
【補正の内容】
【０００６】
非特許文献１に教示されているモジュール化手法に従えば、移動プラットフォームモジュールは、移動デバイスの中でサードパーティのアプリケーションプロセッサを含むアプリケーションプラットフォームモジュールと共同設置することができる。サードパーティのプロセッサは、全てのアプリケーションおよびマルチメディア機能を扱うように構成される。従って、移動プラットフォームモジュールは、移動通信ネットワークに対するアクセスを提供する等、低減したセットの機能を扱うだけでよい。
特許文献３は、無線基板及びデジタル基板を備える無線モデムを教示する。当該モデムは、標準１０Ｂａｓｅ−Ｔデータ・ストリームをパーソナル・コンピュータへ出力するためのインタフェースを有する。
特許文献４は、無線モデムモジュールを備える移動体電話機に関連する。無線モデムモジュールは、制御信号インタフェース及び携帯情報端末（ＰＤＡ）装置と共に、移動体電話機のメインコントローラと接続されている。
【手続補正２】
【補正対象書類名】明細書
【補正対象項目名】０００７
【補正方法】変更
【補正の内容】
【０００７】
【特許文献１】国際公開第００／２２８５７号パンフレット
【特許文献２】国際公開第０３／０６９４６３号パンフレット
【特許文献３】欧州特許出願公開第１１３３２０８号明細書
【特許文献４】欧州特許出願公開第１３３５５６６号明細書
【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
少なくとも１つの第１の無線通信規格に従って無線ネットワークアクセスを提供するように構成されたモデム装置（１００）であって、
前記少なくとも１つの第１の無線通信規格に従って構成され、ベースバンド処理要素（１０４、１０６）および無線周波数要素（１０２）を備えるハードウェアサブシステムと、
上位のソフトウェア層と下位のソフトウェア層とを含む階層化ソフトウェアサブシステムであって、
前記上位のソフトウェア層は、モデムサービスを提供するように構成されたデータアプリケーション（１１６Ａ）を有し、
前記下位のソフトウェア層は、
（ａ）前記少なくとも１つの第１の無線通信規格に従って前記データ・アプリケーションにネットワーク・アクセス・サービスを提供するように構成された第１の垂直ソフトウェアスタック（１０８）と、
（ｂ）前記モデム装置（１００）と、該モデム装置（１００）を含むデバイスの他の要素又はモジュールとの間の通信のためのローカルデータ通信サービスを提供するように構成された第２の垂直ソフトウェアスタック（１１０）と、
（ｃ）前記モデム装置（１００）に対して、システム制御、無線制御及びＳＩＭアクセスを含むオペレーション・サービスを提供するように構成された第３の垂直ソフトウェアスタック（１１２）と
の垂直ソフトウェアスタック（１０８、１１０、１１２）を含み、該垂直ソフトウェアスタックのソフトウェア要素同士におけるスタック間通信はいずれもディセーブルされている、
階層化ソフトウェアサブシステムと、
クライアント（１４０、１４０’、１４８、１６０）に前記モデムサービスを提供するように構成されたインタフェースサブシステム（１１８）と
を備え、前記インタフェースサブシステム（１１８）は、１つ以上の規格化された物理インタフェース（１１８Ａないし１１８Ｇ）を備えることを特徴とするモデム装置。
【請求項２】
前記モデム装置（１００）は、デバイス（１３０、１３０’）の外部のクライアント（１４０、１４０’）に前記インタフェースサブシステム（１１８）を介して前記モデムサービスを提供するように構成されることを特徴とする請求項１に記載のモデム装置。
【請求項３】
前記モデム装置（１００）は、デバイス（１３０、１３０’）の内部に設置されたクライアント（１４８、１６０）に前記インタフェースサブシステム（１１８）を介して前記モデムサービスを提供するように構成されることを特徴とする請求項１または２に記載のモデム装置。
【請求項４】
前記モデム装置（１００）は、前記モデムサービスを前記外部クライアント（１４０、１４０’）に提供するためにスタンドアロン装置として選択的に設置されることと、前記モデムサービスを前記内部クライアント（１４８、１６０）に提供するためにデバイス（１３０’）内で前記内部クライアント（１４８、１６０）と共同設置されることとの、少なくともいずれかのモジュール構成を有することを特徴とする請求項１ないし３のいずれか１項に記載のモデム装置。
【請求項５】
前記モデム装置（１００）はユーザインタフェースおよびマルチメディアの能力を持たないことを特徴とする請求項１ないし４のいずれか１項に記載のモデム装置。
【請求項６】
前記第３の垂直ソフトウェアスタック（１１２）によって提供される前記オペレーション・サービスは、汎用集積回路カード（ＵＩＣＣ）アクセス、クロックサーバアクセス、電話帳サービス、プロキシ管理、要素管理、更新管理、および動作性能管理の内の少なくとも１つを更に備えることを特徴とする請求項１に記載のモデム装置。
【請求項７】
前記第２の垂直ソフトウェアスタック（１１０）によって提供される前記データ通信サービスは、ＵＳＢインタフェースサービス、汎用入出力（ＧＰＩＯ）インタフェースサービス、汎用非同期送受信回路（ＵＡＲＴ）インタフェースサービス、赤外線通信（ＩｒＤＡ）（）インタフェースサービス、ディジタルＲＦインタフェースサービス、無線ローカルエリアネットワーク（ＷＬＡＮ）サービス、ＷｉＭＡＸサービス、ＡＴコマンド管理、およびインターネットプロトコルサービスの内の少なくとも１つを備えることを特徴とする請求項１ないし６のいずれか１項に記載のモデム装置。
【請求項８】
前記１つ以上の規格化物理インタフェース（１１８Ａないし１１８Ｇ）は、ＵＳＢインタフェース、汎用入出力（ＧＰＩＯ）インタフェース、汎用非同期送受信回路（ＵＡＲＴ）インタフェースおよびディジタルＲＦインタフェースの内の少なくとも１つを含むことを特徴とする請求項１ないし７のいずれか１項に記載のモデム装置。
【請求項９】
前記少なくとも１つの第１の無線通信規格は、ＬＴＥ（Ｌｏｎｇ  Ｔｅｒｍ  Ｅｖｏｌｕｔｉｏｎ）規格、および、高速パケットアクセス（ＨＳＰＡ）エボリューション規格を備えるグループから選定されることを特徴とする請求項１ないし８のいずれか１項に記載のモデム装置。
【請求項１０】
前記モデム装置（１００）は回路基板として構成されることを特徴とする請求項１ないし９のいずれか１項に記載のモデム装置。
【請求項１１】
請求項１ないし１０のいずれか１項に記載のモデム装置（１００）を備えることを特徴とするデバイス（１３０、１３０’）。
【請求項１２】
前記モデム装置（１００）は、前記デバイス（１３０、１３０’）の外部のクライアント（１４０、１４０’）に、前記インタフェースサブシステム（１１８）を介して前記モデムサービスを提供するように構成され、
前記デバイスは、前記外部クライアント（１３０、１３０’）に対するデータ接続を確立するためのデータインタフェース（１３２）を更に備え、前記データインタフェース（１３２）は、前記モデム装置（１００）の前記インタフェースサブシステム（１１８）と結合されることを特徴とする請求項１１に記載のデバイス。
【請求項１３】
前記モデム装置（１００）は前記デバイス（１３０）内でスタンドアロン装置として利用されることを特徴とする請求項１２に記載のデバイス。
【請求項１４】
内部クライアント（１４８、１６０）を更に備え、
前記内部クライアント（１４８、１６０）は前記モデム装置の前記インタフェースサブシステム（１１８）と結合することを特徴とする請求項１１ないし１３のいずれか１項に記載のデバイス。
【請求項１５】
前記内部クライアント（１４８、１６０）は、少なくとも１つの第２の無線通信規格に従って無線ネットワーク・アクセス・サービスを提供するように構成されることを特徴とする請求項１４に記載のデバイス。
【請求項１６】
前記少なくとも１つの第２の無線通信規格は、ＧＳＭ規格、ＵＭＴＳ、および高速パケットアクセス（ＨＳＰＡ）規格を含むグループから選定されることを特徴とする請求項１５に記載のデバイス。
【請求項１７】
前記内部クライアント（１４８、１６０）は、ユーザインタフェースサービスおよびマルチメディアサービス（１５６、１５８）の内の少なくとも１つを提供するように構成されることを特徴とする請求項１４ないし１６のいずれか１項に記載のデバイス。
【請求項１８】
前記デバイスは、データカード、移動電話機、携帯情報端末（ＰＤＡ）、パーソナルコンピュータ（ＰＣ）、またはカメラとして構成されることを特徴とする請求項１１ないし１７のいずれか１項に記載のデバイス。
【国際調査報告】
2011527845.tif 000008
2011527845.tif 000009